(57)【要約】  本発明は、ポリマー材料から作られ、固形粉末材料および／またはバルク材料の梱包、輸送および取扱いに理想的であり、装填された包装（１）の輸送および取扱いに必要な安全性を提供し、かつ耐性を保証するだけでなく、切り目や裂け目を作ることなく、包装（１）を再使用することができるように、カバー（５）を取り外すことによって包装（１）を開封することを可能にする取外し可能カバー（５）を備えた袋状または大袋状の包装（１）に関する。
2019518679.tif 000002
【特許請求の範囲】
【請求項１】
固形粉末材料および／またはバルク材料の梱包、輸送および取扱いに特に理想的であり、ポリマー材料からなる本体（２）を備え、第１の端部（３）および前記第１の端部（３）と反対側の第２の端部（４）を画定する袋状または大袋状の包装であって、前記端部（３，４）のうちの少なくとも１つが前記包装（１）を開封するための取外し可能カバー（５）を含むことを特徴とする、袋状または大袋状の包装。
【請求項２】
前記取外し可能カバー（５）を構成する材料が、前記本体（２）の材料の坪量および密度とは異なる坪量および密度を含むことを特徴とする、請求項１に記載の袋状または大袋状の包装。
【請求項３】
前記本体（２）が４８ｇを超える坪量を含むことを特徴とする、請求項１または２に記載の袋状または大袋状の包装。
【請求項４】
積層型の前記取外し可能カバー（５）が、５０ｇ〜２００ｇの間で変動する坪量を含むことを特徴とする、請求項１〜３のいずれか一項に記載の袋状または大袋状の包装。
【請求項５】
積層型の前記取外し可能カバー（５）の織りの詰まりの割合が６０％〜１５００％の間であることを特徴とする、請求項１〜４のいずれか一項に記載の袋状または大袋状の包装。
【請求項６】
積層型の前記取外し可能カバー（５）の織りの詰まりの割合が８０％〜２００％の間であることを特徴とする、請求項１〜４のいずれか一項に記載の袋状または大袋状の包装。
【請求項７】
前記取外し可能カバー（５）が、前記端部（３，４）のサイズよりも大きいサイズを含み、前記取外し可能カバー（５）の１つ以上の側面に突起を画定することを特徴とする、請求項１〜６のいずれか一項に記載の袋状または大袋状の包装。
【請求項８】
前記取外し可能カバー（５）が、接着手段によって前記端部（３，４）に関連付けられていることを特徴とする、請求項１〜７のいずれか一項に記載の袋状または大袋状の包装。
【請求項９】
前記取外し可能カバー（５）の坪量および密度が、前記本体（２）の材料の坪量および密度よりも高いことを特徴とする、請求項１〜８のいずれか一項に記載の袋状または大袋状の包装。
【請求項１０】
固形粉末材料および／またはバルク材料の梱包、輸送および取扱いに特に理想的であり、ポリマー材料からなる本体（２）を備える袋状または大袋状の包装であって、
（ｉ）第１の表面（３’）を形成する第１の端部（３）と、
（ｉｉ）第２の表面（４’）を形成する前記第１の端部（３）と反対側の第２の端部（４）とを画定し、
前記包装が、第３の表面（５’）を画定する少なくとも１つの略平坦な取外し可能カバー（５）を含み、前記取外し可能カバー（５）が、包装（１）を開封するために第３の表面（５’）と第１の表面（３’）および／または第２の表面（４’）との接触によって端部（３，４）の少なくとも一方に関連付けられることを特徴とする、袋状または大袋状の包装。
【発明の詳細な説明】
【技術分野】
【０００１】
本発明は、特にポリマー材料から作られ、固形粉末材料および／またはバルク材料の梱包、輸送および取扱いに特に理想的であり、再使用のために包装の開封を可能にする取外し可能カバーを備えた袋状または大袋状の包装に関する。
【背景技術】
【０００２】
ポリマー材料で作られた袋状または大袋状の包装は何十年もの間知られており、様々な製品、とりわけ、土、肥料、穀物、砂糖、コーヒー、小麦粉、動物飼料、ポリ塩化ビニルコンパウンド、セメントなどの特に固形粉末材料および／またはバルク材料の包装に広く使用されている。
【０００３】
一般に、袋または大袋は低密度ポリプロピレン、ポリエチレンおよび添加剤を基礎とするポリマー材料からなるが、他の材料も使用される。この種の大袋を製造するための材料はラフィアと呼ばれ、ポリマー布地の製造に使用される、押出によって製造された平坦な撚糸を含む。
【０００４】
ラフィア製の包装は、例えばポリプロピレンまたはポリエチレン、あるいは他の繊維または繊維混合物などのポリマーの押出工程によって製造された、幅が数ミリメートルの様々な平坦な撚糸からなる。これらのラフィア撚糸は、駆動され、引張され、芯に巻き取られ、次いで織られてポリマー布地となる。これらの布地は、通常は平坦な布地と筒状の布地とに分けられる。
【０００５】
安全性を提供し、製品の完全性を保証することに加えて、このラフィア製の包装の主な魅力は包装を再使用することであり、すなわち、使用後に、その包装は廃棄物を出さず、例えば供給品の袋詰め、建設工事でのがれきの廃棄および他の用途などの他の目的に再使用される。
【０００６】
より耐性を持たせてより強固に、ラフィアは、湿気、汚れおよびげっ歯類による影響に対して、食物を保存するのに重要な特性である効果的な保護を保証する。別の利点は、輸送中の損失を削減し、再利用の可能性がある材料によってもたらされる経済性であり、これは、環境への影響が少ないためにラフィアをさらに環境を壊さず利用可能なものにする。
【０００７】
袋は閉鎖部の種類によって分けられ、縫い付けるかまたははんだ付けすることができ、袋を充填するための場所として役立つ上部または下部の弁を含んでもよい。製品を充填弁によって包装することができるが、弁によって包装から引き抜くことができないので、通常、消費する時点での袋入り製品の取扱いは、本体または袋カバーを切断することによって行われる。
【０００８】
袋またはラフィア製の大袋の最新技術は、特に袋の閉鎖部分において支持および補強を提供するという意味で解決策を提示しようとしており、これらの袋を効率的に閉鎖することが可能な技術を開発する必要性を実証している。
【０００９】
独国特許第２０２００９００７９１５号明細書およびブラジル国特許第ＰＩ９５０７７０１−４号明細書は、紙またはポリマー材料で作られた包装であろうとなかろうと、包装を閉じるための材料および方法を開示しており、重量物の輸送および取扱いにおいて包装の完全性を維持するために必要な補強および耐性を提供している。
【００１０】
ラフィア製の袋を効率的に閉じる必要性に加えて、これらの袋を容易に開封するための、特に袋入り製品を使用する際に開封するための最先端の解決策が見出されている。
【００１１】
中国実用新案第２０９５８４１号明細書および国際公開第２０１３／１２３０１５号パンフレットは、紙およびポリマー材料の両方で作られた包装を開封するための解決策を提示しており、製品を使用するための袋の開封を改善することが可能な折り目または切断線を開示している。なお、袋または大袋を容易に切断するために易開封性折り目および弱め線のいずれを使用しても、開封時の抵抗がより少ないので、常に、より脆弱な包装すなわちより侵害されやすい包装となる。
【００１２】
そのため、強化された閉鎖部の必要性および袋を開封する可能性を考慮して、ポリマー材料で作られ、かつ装填された包装の輸送および取扱いに必要な安全性および耐性の保証を提供するだけでなく、再使用のために包装を開封することを可能にする取外し可能カバーを備えた、袋状または大袋状の包装が開発された。
【先行技術文献】
【特許文献】
【００１３】
【特許文献１】独国特許第２０２００９００７９１５号明細書
【特許文献２】ブラジル国特許第ＰＩ９５０７７０１−４号明細書
【特許文献３】中国実用新案第２０９５８４１号明細書
【特許文献４】国際公開第２０１３／１２３０１５号パンフレット
【発明の概要】
【発明が解決しようとする課題】
【００１４】
本発明の第１の目的は、ポリマー材料で作られ、カバーを取り外すことによって包装の開封を可能にし、安全性を提供し、装填された包装の輸送および取扱いに必要な耐性を保証し、再使用のために包装を開封することを可能にする取外し可能カバーを備えた、袋状または大袋状の包装を改善することである。
【課題を解決するための手段】
【００１５】
本発明の目的は、固形粉末材料および／またはバルク材料の梱包、輸送および取扱いに特に理想的であり、ポリマー材料からなる本体を備え、第１の端部および第１の端部と反対側の第２の端部を画定する袋状または大袋状の包装によって達成され、これら端部のうちの少なくとも１つは、包装を開封するための取外し可能カバーを含む。
【００１６】
本発明の目的はまた、固形粉末材料および／またはバルク材料の梱包、輸送および取扱いに特に理想的であり、ポリマー材料からなる本体を備え、（ｉ）第１の表面を形成する第１の端部と、（ｉｉ）第２の表面を形成する第１の端部と反対側の第２の端部とを画定する袋状または大袋状の包装によって達成され、包装は、第３の表面を画定する少なくとも１つの略平坦な取外し可能カバーを含み、取外し可能カバーは、包装を開封するために第３の表面と第１の表面および／または第２の表面との接触によって端部の少なくとも一方に関連付けられる。
【００１７】
図面に示す実施例に基づいて、本発明を以下に詳細に説明する。これら図面は、以下について示している。
【図面の簡単な説明】
【００１８】
【図１】本発明の袋状または大袋状の包装を示す図である。
【図２】本発明の取外し可能カバーで閉じられた包装の第２の端部を示す図である。
【図３】取外し可能カバーが完全に取り外された状態で開いている包装の第２の端部を示す図である。
【図４】取外し可能カバーが部分的に取り外された状態の包装の第２の端部を示す図である。
【図５】取外し可能カバーが部分的に取り外された状態の包装の第２の端部の上面図である。
【図６】完全に開いた包装の第２の端部の上面図である。
【図７】取外し可能カバーが完全に取り外された状態で開いている包装を示す図である。
【発明を実施するための形態】
【００１９】
本発明は、様々な製品、とりわけ、土、肥料、穀物、砂糖、コーヒー、小麦粉、動物飼料、ポリ塩化ビニルコンパウンド、セメントなどの特に固形粉末材料および／またはバルク材料の梱包、輸送および取扱いに理想的な袋状または大袋状の包装１に関する。
【００２０】
最初に、本発明の包装１が、好ましくは他の材料の使用を制限することなく、例えばラフィアなどの、ポリプロピレン、ポリエチレンおよびその誘導体などのポリマー材料からなる袋または大袋であることに留意することが重要である。
【００２１】
本発明の包装１は、好ましくは接着剤またははんだなどの接着手段による閉鎖部と、袋を充填するための部分として作用する弁を含む。代替の構成では、包装１は、充填弁６を備えない接着手段による閉鎖部を含む。
【００２２】
現在のところ、弁を備えているか否かを問わず、ラフィア製の大袋には、安全な輸送および装填時の大袋の取扱いに必要な補強および抵抗を提供する他にも、袋を再利用するという主な目的以外で、切り目や裂け目を作ることなくカバー５を取り外すことによって大袋を開封することをさらに可能にする取外し可能カバー５が設けられていない。
【００２３】
したがって、４０ｋｇ、５０ｋｇ、６０ｋｇ、１００ｋｇまたは２００ｋｇを超える重量物であっても包装１の完全性を保証するように、取外し可能カバー５を固定する際の大きな補強および耐性を付随的に提供し、充填および再使用のために包装１の開封を促すカバーを取り外すことができる包装１を開発するために、様々な研究が行われた。
【００２４】
本発明の主要で革新的な差別化要因は、包装１そのものに使用される本体または材料の種類にあらず、むしろ取外し可能カバー５の坪量および密度、および取外し可能カバー５が本体に固定される方法にあり、これにより、上記の耐性および取外しの可能性が有効になる。
【００２５】
本発明の目的である袋状または大袋状の包装１は、ポリマー材料、好ましくはポリプロピレンまたはポリエチレン製のラフィアなどのポリマー布地からなる本体２を備えている。ラフィアが好ましい材料であっても、他の種類の繊維、または繊維の混合物からなる材料を含む保護範囲に応じて包装１を考案することが可能である。さらに、包装１は、任意の種類の繊維または繊維の混合物からなる不織布類の材料から構成することができる。さらに、材料は、繊維だけでなくポリエチレンフィルムなどのポリマーフィルムで構成することもできるので、本発明の保護範囲は包装１を構成する材料によって制限されない。
【００２６】
包装１の本体２は、図１に示すように、第１の表面３’を形成する第１の端部３と、第１の端部３の反対側にあって第２の表面４’を形成する第２の端部４とを含む。
【００２７】
好ましくは、第１の端部３は包装１の入口または充填部に対応し、ここでは充填弁６が設けられてもよいし設けられなくてもよく、第２の端部４は包装１の底部および／または隣接部として対応し、かつそのように見なされるべきである。
【００２８】
包装１は、第３の表面５’を画定する略平坦な取外し可能カバー５をさらに含み、取外し可能カバー５は、第３の表面５’と第２の表面３’および／または第３の表面４’との接触によって端部３および４の少なくとも一方に関連付けられ、カバー５を取り外すことによって端部３および４の少なくとも一方を開封することが可能である。図３は、第３の表面５’および第２の表面４’を示しており、取外し可能カバー５は包装から既に引き抜かれている。
【００２９】
好ましくは、必須ではないが、取外し可能カバー５は、好ましくは本体２と同じ材料からなる略長方形の部分を含む。別の構成では、取外し可能カバー５は、本体２の構成材料とは異なるポリマー材料からなる。さらに、取外し可能カバー５は、本体２とは異なる坪量および密度を含む。本発明は、本体２の坪量よりも（低い、等しい、または高い）任意の坪量で機能することが可能である。いずれにせよ、好ましい構成は、本体２の坪量よりも高い取外し可能カバー５の坪量を利用する。本体２と比較して、取外し可能カバー５の密度についても同じ論理を適用する。
【００３０】
取外し可能カバー５は、はんだまたは接着剤の類の接着手段によって端部３および４の少なくとも一方に関連付けられ、包装１の折り目の長さに応じて変化する端部３および４の閉じた折り目全体に沿って延在する。
【００３１】
好ましくは取外し可能カバー５は、端部３および４のサイズよりも（幅または長さあるいは両方が）大きいサイズを含み、例えば、図１および図２に示すように、取外し可能カバー５の取外しを容易にするために取外し可能カバー５の１つ以上の側面に突起を画定する。代替の構成では、取外し可能カバー５は、側部、上部または下部の突起を画定することなく端部３および４と同じサイズを含む。
【００３２】
本発明の取外し可能カバー５は、大袋の種類に応じて第１の端部３および／または第２の端部４に関連付けられる。
【００３３】
先に説明したように、市場に見られる大袋は、製品の充填工程を容易にする充填弁６を含んでもよいし含まなくてもよい。
【００３４】
充填弁６を備えず、充填後に閉じられる大袋の場合、前記大袋は開口した第１の端部３を含み、取外し可能カバー５は第２の端部４に関連付けられる。
【００３５】
充填弁６が第１の端部３に設けられているかまたは第２の端部４に設けられているかにかかわらず、（充填弁６を備えた）弁付き袋の場合、取外し可能カバー５は、包装１が第１の端部３および／または第２の端部４に設けられた取外し可能カバー５を含むように端部３および４の少なくとも一方に関連付けられる。言い換えれば、取外し可能カバー５は、弁の端部または弁を含む端部の反対側の端部に配置することができる。
【００３６】
図４および図５は、取外し可能カバー５を取り外す方法を示している。なお、取外し可能カバー５は、包装に切り目を作る必要がなく、取外し可能カバー５を単に引っ張ることで作業者が容易に引き抜くことができ、包装１を損傷することなくある程度容易に剥がれる。
【００３７】
図６は第２の端部４が完全に開いた状態を示す一方で、図７は、第２の端部４が開いて取外し可能カバー５が既に引き抜かれた状態で第１の端部３に支持された縦位置の包装を示しており、包装は、供給品の充填、建設工事でのがれきの充填、およびその他の目的のために再使用する準備ができている。
【００３８】
本発明の目的である包装１は、坪量が４８ｇを超える筒状のポリマー布地で作られた本体２を含む。筒状の布地を積層した後の本体２の坪量は、５０ｇ〜１５０ｇの間、好ましくは４０ｇ〜５５ｇの間、好ましくは４５ｇ〜５０ｇの間で変化する。さらに、本体２の織りの密度は、１４／１０ｃｍ〜８０／１０ｃｍの間、好ましくは１５／１０ｃｍ〜５０／１０ｃｍの間、好ましくは２１／１０ｃｍ〜２３／１０ｃｍの間で変化する。
【００３９】
包装１に設けられてもよいし設けられなくてもよい充填弁６は、坪量が２０ｇ〜１５０ｇの間、好ましくは４０ｇ〜５５ｇの間、好ましくは４５ｇ〜５３ｇの間で変動する平坦なポリマー布地で作られており、織りの密度は、１４／１０ｃｍ〜８０／１０ｃｍの間、好ましくは１５／１０ｃｍ〜５０／１０ｃｍの間、好ましくは１７／１０ｃｍ〜２０／１０ｃｍの間で変動する。
【００４０】
最新技術に見られる包装とは異なり、包装１の端部３、４を閉じるためのカバー５は取外し可能であり、好ましくは、積層後に坪量が２０ｇを超え、好ましくは４９ｇを超え、５０ｇ〜２００ｇの間、６０ｇ〜１６０ｇの間、１００ｇ〜１２０ｇの間で変動し、好ましくは１０７ｇ〜１１２ｇの間で変動する平坦なポリマー布地で作られる。断片は、１４／１０ｃｍを超え、好ましくは２１／１０ｃｍを超え、２２／１０ｃｍ〜４０／１０ｃｍの間で変動し、好ましくは３０／１０ｃｍ〜３５／１０ｃｍの間で変動する織り密度をさらに示す。
【００４１】
なお、布地の織り密度は、撚糸の織りの詰まりに応じて変動する可能性がある。したがって、一例として、幅が５ミリメートルの撚糸の場合、布地の織りの密度は、１００％の詰まりに対して２０／１０ｃｍであり、すなわち、１０センチメートルが完全に満たされて詰まりが１００％となるように、１０センチメートルごとに２０本の５ミリメートル撚糸が配置される。別の例では、幅が５ミリメートルの撚糸の場合、密度が１８／１０ｃｍとなる可能性があり、これは、撚糸間に空隙が存在して織りが完全には満たされないような、織りの詰まりが９０％であることを意味している。織りの詰まりが１００％以下となる場合があるが、必須ではないが好ましくは、工程の必要性および調整に応じて、撚糸が重なり合って２００％、３００％、４００％、５００％、１０００％、さらには１５００％までの詰まり値に達するように、詰まりは１００％を超えることに留意することが重要である。
【００４２】
したがって、本発明の取外し可能カバー５は、織りの詰まりが６０％〜１５００％の間であるポリマー布地であり、この詰まりは、６０％〜５００％の間、６０％〜３５０％の間、８０％〜２００％の間、好ましくは１００％を超えて変動する可能性がある。したがって、取外し可能カバー５は、カバー５が、密度がより高く、結果としてより硬くさらに頑強な材料となるように撚糸が重なり合った布地組織を含む。
【００４３】
さらに、本体２および充填弁６を製造するための布地の織りの詰まり割合は、６０％〜１５００％の間である。
【００４４】
実例として、包装が３つの高さの落下に耐えることができるように、取外し可能カバーの引抜き強度を知るための試験が行われた。必須ではないが好ましくは、包装の破損に対する耐性を保証するために、取外し可能カバーを引き抜くのに必要な最小強度は２．５ｋｇｆであった。落下試験は、５０ｋｇを装填した大袋について、臥位で高さ２メートル、２．５メートルおよび３メートルから落下させて行った。取外し可能カバーの引抜き試験で２．５ｋｇｆの結果を示した大袋の全ては、３つの特定の高さから３回の落下に耐え、すなわち、包装は落下による衝撃で破損しなかった。工程の必要性および調整に応じて他の値を達成することができる。
【００４５】
したがって、本発明は、ポリマー材料で作られ、装填された包装の安全な輸送および取扱いに必要な固定の耐性を保証する取外し可能カバー５を含み、包装材料を破損することなく落下に耐え、それに加えて将来の再使用のために包装の開封を可能にする袋状または大袋状の包装１を提示している。
【００４６】
好ましい実施形態の一例を説明したが、本発明の範囲は、潜在的な等価物が含まれる添付の特許請求の範囲の内容によってのみ限定される他の可能な変形例を包含していることを理解されたい。
【図１】
2019518679.tif 000003
【図２】
2019518679.tif 000004
【図３】
2019518679.tif 000005
【図４】
2019518679.tif 000006
【図５】
2019518679.tif 000007
【図６】
2019518679.tif 000008
【図７】
2019518679.tif 000009
【手続補正書】
【提出日】平成31年2月19日(2019.2.19)
【手続補正１】
【補正対象書類名】特許請求の範囲
【補正対象項目名】全文
【補正方法】変更
【補正の内容】
【特許請求の範囲】
【請求項１】
固形粉末材料および／またはバルク材料を梱包し、輸送し、かつ取扱うための、ポリマー布地または任意の種類の繊維または繊維の混合物からなる不織布類の材料からなる本体（２）を備えた袋状または大袋状の包装であって、
（ｉ）第１の表面（３’）を形成する第１の端部（３）と、
（ｉｉ）第２の表面（４’）を形成する前記第１の端部（３）と反対側の第２の端部（４）とを画定し、
前記包装が、第３の表面（５’）を画定するポリマー布地で作られた少なくとも１つの略平坦な取外し可能カバー（５）を含み、
前記取外し可能カバー（５）が、包装（１）を開封するために第３の表面（５’）と第１の表面（３’）および／または第２の表面（４’）との接触によって端部（３，４）の少なくとも一方に関連付けられることを特徴とする、袋状または大袋状の包装。
【請求項２】
前記取外し可能カバー（５）を構成する材料が、前記本体（２）の材料の坪量および密度とは異なる坪量および密度を含むことを特徴とする、請求項１に記載の袋状または大袋状の包装。
【請求項３】
前記本体（２）が４８ｇを超える坪量を含むことを特徴とする、請求項１または２に記載の袋状または大袋状の包装。
【請求項４】
積層型の前記取外し可能カバー（５）が、５０ｇ〜２００ｇの間で変動する坪量を含むことを特徴とする、請求項１〜３のいずれか一項に記載の袋状または大袋状の包装。
【請求項５】
積層型の前記取外し可能カバー（５）の織りの詰まりの割合が６０％〜１５００％の間であることを特徴とする、請求項１〜４のいずれか一項に記載の袋状または大袋状の包装。
【請求項６】
積層型の前記取外し可能カバー（５）の織りの詰まりの割合が８０％〜２００％の間であることを特徴とする、請求項１〜４のいずれか一項に記載の袋状または大袋状の包装。
【請求項７】
前記取外し可能カバー（５）が、前記端部（３，４）のサイズよりも大きいサイズを含み、前記取外し可能カバー（５）の１つ以上の側面に突起を画定することを特徴とする、請求項１〜６のいずれか一項に記載の袋状または大袋状の包装。
【請求項８】
前記取外し可能カバー（５）が、接着手段によって前記端部（３，４）に関連付けられていることを特徴とする、請求項１〜７のいずれか一項に記載の袋状または大袋状の包装。
【請求項９】
前記取外し可能カバー（５）の坪量および密度が、前記本体（２）の材料の坪量および密度よりも高いことを特徴とする、請求項１〜８のいずれか一項に記載の袋状または大袋状の包装。
【請求項１０】
前記取外し可能カバー（５）が、端部（３，４）の閉じた折り目全体に沿って延在することを特徴とする、請求項１〜９のいずれか一項に記載の袋状または大袋状の包装。
【請求項１１】
前記取外し可能カバーを引き抜くための最小強度は２．５ｋｇｆであることを特徴とする、請求項１〜１０のいずれか一項に記載の袋状または大袋状の包装。
【請求項１２】
前記包装が、臥位で高さ２メートル、２．５メートルおよび３メートルの落下試験に耐えるように構成されることを特徴とする、請求項１１に記載の袋状または大袋状の包装。
【請求項１３】
前記包装が、５０ｋｇを装填した大袋として構成される、請求項１２に記載の袋状または大袋状の包装。
【国際調査報告】
2019518679.tif 000010
2019518679.tif 000011
2019518679.tif 000012